Podtech/llm-jp-corpus-v4-ja_patent huggingface dataset:
(57)【要約】【課題】従来の書類整理ファイルの台紙は、ファイルする書類全面がオープンではなく、書類に直接綴じ穴をあけたり、ファイルに直接固定した透明な袋に書類を入れるために光って見えにくく、急いで記入したい時、袋から書類を出さなければならず不便であった。本発明は、ファイル用台紙を提供する。【解決手段】ファイル用台紙の片側は綴じ穴を施し、反対側は書類の見出しを記入するための凸部を設ける。綴じ穴と凸部に干渉させないように内側にファイルする書類を置き、ファイルする書類の上部と下部をファイル用台紙と共にクリップで挟み、ファイルする書類はクリップで着脱可能にする。ファイル用台紙とファイルする書類を一体のままで、リング綴じ金具を開くことで容易に着脱を可能にしたことを特徴とするファイル用台紙。【選択図】図３
2016153209.tif 000002
【特許請求の範囲】
【請求項１】
ファイル用台紙の片側は綴じ穴を施し、反対側は書類の見出しを記入するための凸部を設け、綴じ穴と凸部に干渉させないように内側にファイルする書類を置き、ファイルする書類の上部と下部をファイル用台紙と共にクリップで挟み、ファイルする書類の着脱はクリップを外す。
ファイル用台紙とファイルする書類を一体のままで、リング綴じ金具を開くことで容易に着脱ができるファイル用台紙。
【発明の詳細な説明】
【技術分野】
【０００１】  本発明は、書類整理ファイル用台紙に関するものである。
【背景技術】
【０００２】  従来の書類整理ファイルの台紙は、書類に直接綴じ穴をあけるか、透明な袋をファイルホルダーと一対にし、袋に書類を入れるものだった。
【先行技術文献】
【特許文献】
【０００３】
【特許文献１】特開２００３−２９１５７４  公報
【発明の概要】
【発明が解決しようとする課題】
【０００４】  従来の書類整理ファイルの台紙は、ファイルする書類全面がオープンではなく、書類に直接綴じ穴をあけたり、ファイルに直接固定した透明な袋に書類を入れるために光って見えにくく、急いで記入したい時、袋から書類を出さなければならず不便であった。
本発明は、以上の問題点を解決するためになされたものである。
【課題を解決するための手段】
【０００５】  ファイル用台紙の片側は綴じ穴を施し、反対側は書類の見出しを記入するための凸部を設ける。
綴じ穴と凸部に干渉させないように内側にファイルする書類を置き、ファイルする書類の上部と下部をファイル用台紙と共にクリップで挟み、ファイルする書類はクリップで着脱可能にする。
ファイル用台紙とファイルする書類を一体のままで、リング綴じ金具を開くことで容易に着脱ができる。
以上の構成よりなるファイル用台紙。
【発明の効果】
【０００６】  ファイルした書類に記入する場合、すぐに記入できるようになり、ファイル用台紙からファイルする書類をクリップだけで着脱が容易にできる。ファイル用台紙にファイルする書類を付けたまま着脱も可能になり分類と保管がしやすく、再度使用する事も容易になる。
【図面の簡単な説明】
【０００７】
【図１】ファイルホルダー全開状態の平面図
【図２】本発明の平面図
【図３】ファイルホルダーに本発明をセットにした平面図
【発明を実施するための形態】
【０００８】  以下、本発明の実施の形態を説明する。
（イ）ファイルホルダー（１）と、綴じ穴（２）と凸部（５）を設けたファイル用台紙（４）からなる。
（ロ）ファイルする書類（３）を動かないようにファイル用台紙（４）に、数ヶ所簡易固定をする。
（ハ）ファイルする書類（３）は、綴じ穴（２）と凸部（５）の双方に、支障にならない中央に簡易固定用クリップ（６）で固定する。
（ニ）ファイルホルダー（１）と、ファイルする書類（３）双方の縦方向は同じ長さである。
（ホ）ファイル用台紙（４）の幅は、綴じ代、書類幅、凸部（５）からなる。
本発明は以上のような構造である。
【符号の説明】
【０００９】  １  ファイルホルダー
２  綴じ穴
３  ファイルする書類
４  ファイル用台紙
５  凸部
６  簡易固定用クリップ
７  リング綴じ金具
【図１】
2016153209.tif 000003
【図２】
2016153209.tif 000004
【図３】
2016153209.tif 000005
(57)【要約】      （修正有）【課題】おもりを移動させることにより推進する。【解決手段】おもり１、２を移動させおもりの移動時におもりと本体５との距離の制御や、おもりが回転類似運動の場合においては角速度を制御することにより推進する。【選択図】図１
2016223424.tif 000002
【特許請求の範囲】
【請求項１】
自己を中心としておもりを自己外部またはおもりを自己内部中で移動させおもりと自己との距離がおもり移動中において距離を変化させるまたは回転類似運動形態の例では移動中回転角速度を変化させることにより推進することを特徴とする推進機構。
【発明の詳細な説明】
【技術分野】
【０００１】  本発明は推進装置に関する。
【背景技術】
【０００２】  従来の推進装置は外部との作用により推進するものであった。例えば内部の燃料等を化学反応、例えば多くの場合燃焼させその生成物を外部に噴出しその反動で推進するものやスクリューやプロペラを用いて自己外部の環境、例えば気体・流体・個体等を移動させその反動により推進するものや自己外部磁界との作用を利用するものなどであった。これらは例えば燃料を利用するものはその燃料が枯渇すると仮に燃料以外のエネルギーが残存していても推進不能になるし、自己外部環境を利用する場合は、例えばその自己外部の気体・液体・個体・磁界等が無ければ推進できないという欠点があった。
【発明の概要】
【発明が解決しようとする課題】
【０００３】  解決しようとする問題点は推進において自己の内部の燃料等を外部に放出することを必要とせず、また外部環境物質を必要としない推進手段の提供。
【課題を解決するための手段】
【０００４】  おもりを移動させることにより推進する。
【発明の効果】
【０００５】  例えば推進用の噴出のための燃料を必要としないので燃料積載制限による推進限界が無い。また推進時プロペラやスクリュー等にて推進後方に押しやる物質を必要としないので例えば宇宙空間等でも推進できる。
【図面の簡単な説明】
【０００６】
【図１】  推進機構の実施方法を示した説明図である。
【発明を実施するための形態】
【０００７】  反作用推進を目的として物質を自己外に放出せず、推進のために自己の周りに物質が存在することを必要とせず推進を実現した。
【実施例】
【０００８】  図１は本システムの実施の一形態の全体像であって本体の周りを腕で接続されたおもりを回すことができるようになっている形態で実施した例である。【０００９】  おもりと本体との距離は変更できる機能を有している。【００１０】  例えばおもりを移動させる場合に図１の実施例の場合は回転運動の例となるが図１の０度方向と１８０度方向を結ぶ直線からから左右対称、例えばおもり１が図１の本体を中心とした０度方向から時計回りに５度の位置になるように移動させた場合には例えばおもり２は３５５度（０度方向より−５度）の位置になるように移動させるとする。また例えばおもり２が２７０度の位置になるように移動させるとした場合はおもり１は９０度の位置になるようにおもり１と本体とおもり２と本体の距離をまずは変更せずに移動させる場合を考える。【００１１】  この状態ではおもりは本体周辺において回転運動することになる。【００１２】  以上のようにおもり１とおもり２を移動させたとし、おもり１とおもり２を例えば本体から見て等角速度回転させたとすると予め本体とおもり１とおもり２の質量と回転速度を調整することにより本体は図１において０度方向と１８０度方向を結ぶ直線上を往復運動することになる。【００１３】  その往復運動距離はおもり１とおもり２が共に０度方向位置にいる場合の本体位置とおもり１とおもり２が共に１８０度方向位置にいる場合の本体位置を移動する往復運動距離とするとその距離はおもり１とおもり２が等角速度運動しているとすれば通常、等距離になる。【００１４】  次に例えば引き続き両おもりを等角速度運動を維持しつつおもり１とおもり２が共に図１の０度方向位置にいる場合に本体と両おもりの距離を縮め回転角速度は縮める前の速度を維持しつつおもりと本体との距離は縮めたまま維持し両おもりが１８０度方向位置になったとき、その縮めた距離を元に戻す制御を実施する。【００１５】  おもりの位置により例えば図１の０度方向位置の場合において距離を縮めることと例えばおもりの位置が図１の１８０度方向位置の場合において縮めた距離を戻すことを連続的に繰り返すように制御することにより本体は往復運動をしつつ連続的に脈動的に結果的に０度方向に移動することになる。【００１６】  おもりの距離を変更するタイミングは例えば図１の０度方向位置の場合に瞬間的に距離を縮める必要はなく例えば両おもりが図１において０度方向に近づいている運動の場合において９０度方向と２７０度方向を結ぶ直線上より０度方向に近い位置関係にいれば開始しても良いし同様に距離を戻す動作開始タイミングは両おもりが１８０度方向に近づく運動の場合において９０度方向と２７０度方向を結ぶ直線より１８０度方向に近い位置にいれば開始しても良い。【００１７】  おもりと本体との距離を変更する機構は本体またはおもりにモーターやエンジンを内蔵して動力により例えば腕１と腕２の長さを機械的に変更して実現しても良いし磁石や電磁石等を用いて電磁的に距離変更を実現しても良く、本発明においてはおもりと本体の距離を変更する機構自体は問わない。【００１８】  ここまでは本体の周辺をおもり１とおもり２が等角速度で回転する例で説明したが、本発明においては例えばおもりと本��の距離を変更しないで図１の例においての回転において角速度を変更することによっても同様の効果を得ることができる。
例えば両おもりが図１において０度方向位置の近くにいる場合の角速度と１８０度方向位置の近くにいる場合とを変える等である。【００１９】  おもりと本体との距離を変更することと角速度の変更を同時に実施しても良い。【００２０】  本発明においては便宜上おもりが本体の外側を運動する実施形態で説明したがおもりが本体の外側に存在する必要性はなく例えば本体の中におもりが存在し内部で運動させることにより同様の効果を得ても良い。
【産業上の利用可能性】
【００２１】  宇宙空間等の環境下における推進等で推進のために放出する物質を必要としないので例えば電力のみで推進できる。
【符号の説明】
【００２２】１  おもり１
２  おもり２
３  腕１
４  腕２
５  本体
【図１】
2016223424.tif 000003
(57)【要約】      （修正有）【課題】セリウムは“環境にやさしい”性質を持っている。酸化物が自動車の排気ガスを清浄化するし、硫化物は有害金属を含む顔料の代替えになるし、さらに長寿命の低エネルギー電球の重要な部分を占めている。さらに加えて、新たん貢献の可能性を秘めている。【解決手段】燃料に微量添加すると、その触媒作用によって、炭素質微粒子が自然に燃えて消滅するようになる。ヂィーゼル燃料１０００Ｌあたりに微量のセリウムを添加するだけで通常のヂィーゼルエンジンの寿命からすると酸化セリウムに換算すると１．５Ｋｇぐらいになり、長時間の寿命となる。【選択図】なし【特許請求の範囲】
【請求項１】
セシウムスラスターは、人工衛星の軌道修正に利用する。重いイオンであれば、推力もそれなりに大きくなるので、原子量の大きなセシウムを利用する。
【請求項２】
真空チャンバーでイオン化したセシウムを電場で加速して、ノズルから吹き出す推力を得る時に利用する。
【請求項３】
等しい質量で比較すると、通常の燃料に比べてセシウムは１４０倍の推力が可能となる。
【請求項４】
イオンエンジンの候補となりうる。かつ容易にイオン化可能なため（電子を一個放出すると一価の陽イオンになる）
【請求項５】
水素燃料を使用してジェット噴射ノズルの添加剤として使用する。
【請求項６】
ディーゼルエンジンに少量のセリウムを添加し、触媒作用として炭素質微粒子が自然に燃えて消滅する。
【請求項７】
セリウムを燃料に添加するためのカートリッジ製造法
【発明の詳細な説明】
【技術分野】
【０００１】  この発明は、われわれの宇宙が、水素８８％、ヘリウムが１１％、残る全ての元素を合わせても残るのは１％しかない。これは今からおよそ百５０億年の昔、いわゆるビッグバンによって想像もつかない高温度が達成された結果、プロトン（陽子）、ニュートロン（中性子）が相互に結合可能となった事にある。
【背景技術】
【０００２】  もし、これに中性子が添加されると重水素ができる。別の書き方をすれば、これは水素−２（２Ｈ）となるが、この−２“は質量数が２個であることを意味する。【０００３】  つまり原子核の中でも安定した核子（陽子が中性子）の数が２である。もしこの重水素の原子核が２個融合したら、生成するのはヘリウム−４（４Ｈｅ）となるはずで、これは原子核中で安定性においても随一に位するものだから、【０００４】  この際に莫大なエネルギーの源はこれなのです。ビッグバンの後に最初の数分間においては３Ｈｅ（１Ｈ２Ｈ）の反応がえ得られるが、やがて宇宙の温度が低下し出すとこれらの生成も停止してしまった。【０００５】  宇宙の膨張が進むにつれて、重力の影響で物質が集合しだし、銀河系や恒星の生成が始まり、充分な量の物質が存在すれば、恒星の中心部で数百万度ほど温度が達成可能である。【０００６】  この温度になると、ヘリウムとの間の核反応が再び起こりうる。このような恒星の核においては、別の核反応が起きても良いほどの温度が生じ、４Ｈｅから、炭−１２（１２Ｃ）や酸素−１６（１６Ｏ）、ネオン−２０（２０Ｎｅ）が作られた。【０００７】  さらにこれらの原子核の反応でケイ素や硫黄、マグネシウム、鉄などが生成されたのです。【０００８】  これらの核融合反応によってエネルギーが放出されるのですが、鉄のところでプロセスは終了するのです。【０００９】  鉄―５６（６６Ｆｅ）は特別に安定する原子核となり、これよりも重い原子核を作る余分なエネルギーを吸収することが必要となる。【００１０】  だから普通の恒星では、鉄より重い元素は生成しないのです。【００１１】  このような重元素が生成されるのは、恒星が爆発してその成分は銀河系中まき散らされたあと、再び重力の効果で凝集が起こり、再び太陽と同じような恒星系が生成した結果である。【００１２】  恒星から放出される光を詳しく分析した結果として、このような結論を得たのです。【００１３】  このような宇宙化学“は、すでに二百年ほど以前に始まった。１８０２年に太陽光線に始まった。１８０２年に太陽光線のスペクトルを調べると、この中に多数の暗線の存在しているが、」それ以外の研究をしなかったのです。【００１４】  １８６４年にいくつかの線について原子の発光スペクトルと合致することを示し、これらの元素が太陽にも存在することが、遊離状態の原子はそれぞれ特徴ある可視部（及び紫外線と赤外線）の光の放出、吸収する。【００１５】  この吸収、発光スペクトルの波長は、原子中の軌道間の遷移に対応している。【００１６】  だから、可視部のスペクトル中に現れるそれぞれのパターンから、元の原子を確定することができる。【００１７】  当時の元素の概念は、古代ギリシャ以来４元素すなわち土、空気、火、木が万物の構成要素という考え方であった。【００１８】  錬金術由来の全ての金属は、塩、硫黄、水銀の三元素よりなるという説にとらわれたままだった。【００１９】  １７８９年になってフランスの科学者アントワーヌ・ロラン・ラヴォアジェが、新しい元素の概念をまとめ上げ周期表”を作り上げたので今日も使用されているのです。
【先行技術文献】
【００２０】
【特許文献】
【特許文献】特願２００５−１９４６１５
【発明の概要】
【発明が解決しようとする課題】    今日、原子力発事故以来、化石燃料が再び見直されていいるが、残念なことに化石燃料は燃焼時に不完全燃焼により、どうしても一酸化炭素や炭化水素、ノックス（ＮＯｘ）旺盛の酸化類を出して環境に良くない。
【課題を解決するための手段】
【００２１】セリウムは主要なランタニド鉱物から得られるが、これらの他にも灰チタン石（ペロブスカイト）や褐簾石にはかなりの量のセリウムが含まれたいて、セリウム資源となる。【００２２】酸化セリウム（ＣｅＯ２）はセリウムの重要な原料である。バストネス石（セリウム族希土類の炭酸塩鉱物）を加熱するとセリウムは酸化されて不溶性の酸化セリウムの形で得られる。【００２３】他の希土類の酸化物は塩酸で処理すると溶解するが、セリウムだけは溶けずに残る。これがセリウムの濃縮物である。
【発明の効果】
【００２４】酸化セリウムは触媒活性があり、乗用車の排気ガスをクリーンアップする。触媒にも配合されている。【００２５】さらに金属類の機能を高める効果がある。これは、酸素原子を蓄える機能があるので、これによって一酸化炭素（ＣＯ）や未燃焼の炭化水素（ＣＨ２）を二酸化炭素（ＣＯ２）に転換できる。【００２６】酸化セシウム触媒は、また、ノックス（ＮＯｘ）類を窒素に分解する機能を持っている。【００２７】酸化セシウムは単なる支持剤だけでなく、触媒作用を持つことはセリウム含量が増加するほど活性が大きくなる。
【図面の簡単な説明】
【００２８】
【図１】表１は元素の電子配置表表２は元素周期表
【図１】
2016223425.tif 000002
(57)【要約】【課題】ヒートポンプによる夏の冷房、冬の暖房は室外機からそれぞれ熱風、冷風が噴出し、この熱が環境面で様々な悪影響を及ぼしているといえる。しかし冷暖房を止める訳にはいかない。そこで夏の熱を暖房に、冬の熱を冷房に利用できれば、省エネや環境保護に貢献できるはずである。【解決手段】北海道には熱を逃がさないためのスカート断熱があり、基礎下の凍結防止として一定の成果を上げ、地中の断熱の有効性を証明している。これにエネルギーの要らない熱源を持たしてやれば、省エネで合理的な方法ができるはずである。つまり地中に自然発生した熱を送り、蓄熱させて、その熱を建物側へ誘導することである。土は熱拡散率が小さいので熱の移動には時間を要する。この時間が夏から冬又は冬から夏の時間となり、冷暖房の熱源になる。【選択図】図３
2016223760.tif 000002
【特許請求の範囲】
【請求項１】
夏に発生する熱、冬に発生する熱を地中に閉じ込め建物側へ誘導し、これを冷暖房の熱源とし、エネルギーを削減する断熱方法（ドレス断熱と呼ぶことにする）。
【請求項２】
チューブを使用し、ポンプで液体を循環させ、ドレス断熱内に熱を伝える
【発明の詳細な説明】
【技術分野】
【０００１】  本発明は冷暖房エネルギーの削減を図った断熱による熱供給方法である。
【背景技術】
【０００２】  建物における従来の冷暖房エネルギーの削減は床、壁、天井の断熱強化で評価されてきたが、熱源を持っていなかった。そこで夏に発生する熱を利用して冬に暖房を行い、冬に発生する冷熱で夏に冷房を行う断熱方法（ドレス断熱）。これにより冷暖房の熱源を持つことができる。【０００３】  熱をスムーズに断熱内（ドレス断熱）へ供給できる方法
【先行技術文献】
【特許文献】
【０００４】
【特許文献１】
【特許文献２】
【非特許文献】
【０００５】
【非特許文献１】
【非特許文献２】
【発明の概要】
【発明が解決しようとする課題】
【０００６】  夏の冷房は電力を増大させているだけでなく、暑さの原因になり、局所的に大気の状態を不安定化させ、集中豪雨の原因になっている。
また冬の暖房は著しく電力を要している。
【課題を解決するための手段】
【０００７】  夏の熱、冬の冷熱を地中に閉じ込め、土と熱が持つそれぞれの性質を利用する。土は一般的に熱拡散率が小さく熱を伝えるのに時間がかかり、この時間が季節になる。そして熱抵抗が小さい。従って本発明のドレス断熱によって、熱を概ね時間通りに目的地へ誘導させることができる。
【発明の効果】
【０００８】  冷暖房の電力を小さくできる。地中熱利用のヒートポンプを用いれば、廃熱はドレス断熱内へ閉じ込めるため、大気への影響はなくなる。
また、一棟全体の冷暖房も可能になるため、身体にやさしい。停電しても冷暖房の影響は小さい。建物の景観が損なわれがちなエアコンの室外機を少なくできる。別棟であっても冷暖房ができる
【図面の簡単な説明】
【０００９】
【図１】  従来の断熱方法と本発明の断熱方法の断面の違い
【図２】  ドレス断熱の利用方法１  夏の熱、冬の冷熱を直接利用する方法
【図３】  地表の熱とドレス断熱内の熱を交換させる
【図４】  ドレス断熱内は熱の移動が始まる
【図５】  熱の交換時期を決定する
【図６】  熱の供給がなくなり、平衡状態へ進む
【図７】  夏、冬に屋内へ熱が出入りする
【図８】  ドレス断熱の利用方法２  地中熱利用のヒートポンプの廃熱を利用
【図９】  チューブの熱交換によりドレス断熱内に熱を加える
【図１０】  熱の移動が始まる
【図１１】  熱の供給がなくなり、平衡状態へ進む
【図１２】  夏、冬に屋内へ熱が出入りする
【発明を実施するための形態】
【００１０】  図１、図３、図５、図８について説明する
【００１１】  図１は一般的な基礎断熱や北海道などに見られるスカート断熱と本発明のドレス断熱の比較である。いずれも熟源を持っていない。
【００１２】  図３、はドレス断熱にチューブで熱を送ることで熱源が発生する。
【００１３】  図５について、土の種類や含水率によって熱拡散率ａは大きく異なる。対象とする土を採取し、ａを概ね定め、熱拡散距離Ｌ＝√ａｘ√ｔ  ｔ：時間  によって熱交換時期とドレス断熱の長さＡを決める
【００１４】  図８はヒートポンプで発生する廃熱を熱源とする方法である。
【産業上の利用可能性】
【００１５】  季節や昼夜の温度差を小さくしたいハウス栽培等の農業分野、水温を一定にしたい養殖の漁業分野
【符号の説明】
【００１６】  Ａ、Ｂ、Ｃはそれぞれの長さ
【受託番号】
【００１７】
【図１】
2016223760.tif 000003
【図２】
2016223760.tif 000004
【図３】
2016223760.tif 000005
【図４】
2016223760.tif 000006
【図５】
2016223760.tif 000007
【図６】
2016223760.tif 000008
【図７】
2016223760.tif 000009
【図８】
2016223760.tif 000010
【図９】
2016223760.tif 000011
【図１０】
2016223760.tif 000012
【図１１】
2016223760.tif 000013
【図１２】
2016223760.tif 000014
(57)【要約】      （修正有）【課題】人ひとりを水中（プール、海、湖）から、プール、船舶に設置した機器装置で、一定の重量、安全性を確保しながら、上部に持ち上げ、プールサイド、または、船舶等のデッキに挙がることのできる機構装置の製造。また、機器装置は、水中設置となることから、駆動する機構部に電源等の製作制限が生じることから構造設計が課題。（水中エレベーター）【解決手段】水に弱い部材は使用せず、特にモーター等を水に触れさせない構造とする。または、水中部分に電気部等、使用しない機構設計とする。【選択図】図１
2016223276.tif 000002
【特許請求の範囲】
【請求項１】
水中から、簡単な操作で水上に昇れる機器装置
【発明の詳細な説明】
【技術分野】
【０００１】エレベーター
【背景技術】
【０００２】水泳競技の場面において、競技終了後に、競技者が体力を要してしまいプール内（水中）から自力で上ることが困難となるため、足をステップに掛けるなどして、簡単な操作（スイッチ等）で、エレベーターのように、プール（水）内からプールサイドに上がることができる機器装置。
また、ボート（船舶）等も同様に、ボンベ等の重い器材を装備した人が力を要してしまうことから、エレベーターのような、機器装置を設置することで、容易にボートの船上へ昇ることのできる。
【先行技術文献】
【特許文献】
【０００３】
【図２】
プール設置用機器製品説明書    １
【図３】
船舶設置用機器製品説明書      １
【発明の概要】
【発明が解決しようとする課題】水中にいる人を地上、船上へと昇るための補助装置。
【競技の妨げにならない位置に設置可能】
水泳競技であれば、競技者が競技を行う際に、レーン内で妨げとならない形状であり、人ひとり相当の重量を持ち上げられることのできる機構。
【課題を解決するための手段】
小型で、簡易機能で、人ひとりを持ち上げることのできる、エレベーター機能を備えた装置で、水泳競技等の妨げとならない形状とする。
【発明の効果】
水中から水上へ容易に上がることが可能。
水泳競技で言えば、競技を終えて体力を消耗した競技者が、この機器装置を利用することで、容易にプールサイド等へと上がることができる。
これは、水泳競技ならば、高齢者、幼児、障害者にとっては、水中からの容易にプールサイドに昇ることが可能となる。
また、同様に海等で言えば、身体に潜水器材を装備した者が、水中から船舶上に容易に昇ることが可能となる。
【図面の簡単な説明】
【機能概要】
この機器装置の基本的な仕様は、一人の人物をエレベーター方式により、水中から水上（陸等）に挙げることができる。
機器装置に備え付けられたステップに体重を乗（足を掛ける）せて、駆動スイッチ（または、重量を検知して自動で動作する）を操作するだけで、人ひとりを、下から上へと挙げることが可能となる。
▲１▼のステップに足を掛けて、▲２▼の駆動用スイッチを操作するだけで、人が▲３▼の水上（地上、他：船舶なら甲板、デッキ等）に挙げることができる。
【発明を実施するための形態】
【機構概要】
エレベーター機能を流用して、モーターにより「水圧」、「油圧」式でステップとレバー部分を上部に押し上げる。
【産業上の利用可能性】
【利用可能性】
水泳競技においては、各競技のプール内からプールサイドへ昇る際に利用することができる。
船舶においては、水中（海、水中）から船舶上（デッキ）に挙げる際に、身体に潜水器材等を着用した状態でも容易に昇ることが可能となる。
【受託番号】
【ＬＩＦＴ−００１】
【図１】
2016223276.tif 000003
【図２】
2016223276.tif 000004
【図３】
2016223276.tif 000005
【手続補正書】
【提出日】平成28年3月16日(2016.3.16)
【手続補正１】
【補正対象書類名】明細書
【補正対象項目名】全文
【補正方法】変更
【補正の内容】
【発明の詳細な説明】
【技術分野】
【０００１】本発明は、水中より容易に水上に挙がれるエレベーターである。
【背景技術】
【０００２】水泳競技の場面において、競技終了後に、競技者が体力を要してしまいプール内（水中）から自力で上ることが困難となるため、競技者は、競技終了後にレーンをまたがり、プールの端まで移動してプール上に挙がる方法をとっていた。
また、海や湖でのボート（船舶）等の利用時も同様に、スキューバダイビング等を行う際に、ボンベを背負った状態（器材を装備した状態）等では、人が船のデッキに挙がることに力を要してしまうことから、事故に繋がるケースすら見受けられるのが現状（問題）である。【０００３】このような課題に対して、解決策として、図１に記述した通りの水中より容易に水上へ挙がることのできる機器装置を開発し、図２の記述では、競技者が競技を終えた際に、レーン内よりプールから水上（プールサイド）に、図３の記述では、船舶等のデッキに体力を要することなく挙がれることを可能にする機器装置を造る。
【図面の簡単な説明】
【０００４】
【図１】プール（水中）内の壁に設置した状態を説明した図である。
【図２】プールのレーン毎に設置した機器を使い、水上（プールサイド）に挙がれる装置（装着状態）を説明した図である。
【図３】海、湖等より、船舶のデッキに容易に挙がれる機器として装着した装置を説明した図である。
【発明の効果】
【０００５】水中から水上へ容易に上がることが可能。
水泳競技で言えば、競技を終えて体力を消耗した競技者が、この機器装置を利用することで、容易にプールサイド等へと上がることができる。
これは、水泳競技ならば、高齢者、幼児、障害者にとっては、水中からの容易にプールサイドに昇ることが可能となる。
また、同様に海等で言えば、身体に潜水器材を装備した者が、水中から船舶上に容易に昇ることが可能となる。
【機能概要】
【０００６】この機器装置の基本的な仕様は、一人の人物をエレベーター方式により、水中から水上（陸等）に挙げることができる。
機器装置に備え付けられたステップに体重を乗（足を掛ける）せて、駆動スイッチ（または、重量を検知して自動で動作する）を操作するだけで、人ひとりを、下から上へと挙げることが可能となる。
利用方法としては、図１に記述のように、▲１▼のステップに足を掛けて、▲２▼の駆動用スイッチ（仮）を操作するだけで、利用者は▲３▼の水上（プールならプールサイド、船舶なら甲板、デッキ等）に挙げることができる。
【発明を実施するための形態】
【機構概要】
【０００７】エレベーター機能を流用して、「空気圧」、「水圧」、「油圧」式でステップとレバー部分を上部へと押し上げる。
【産業上の利用可能性】
【利用可能性】
【０００８】水泳競技においては、各競技のプール内からプールサイドへ昇る際に利用することができる。
船舶においては、水中（海、水中）から船舶上（デッキ）に挙げる際に、身体に潜水器材等を着用した状態でも容易に挙がることが可能となる。
【受託番号】
【０００９】
【ＬＩＦＴ−００１】
【手続補正２】
【補正対象書類名】図面
【補正対象項目名】全図
【補正方法】変更
【補正の内容】
【図１】
2016223276.tif 000006
【図２】
2016223276.tif 000007
【図３】
2016223276.tif 000008
(57)【要約】【課題】アレルギー対策や感冒の予防などの際着用するマスクはマスク内部へ、いかにしてアレルギー物質や細菌などの有害物質を侵入させない事が重要であるが人の顔の形状は複雑であり、どうしてもマスク外周、特にマスク上部に出来る隙間からの有害物質の侵入は防ぎにくい。またクシャミ、鼻水、目のかゆみが発生した際の目や鼻の炎症は非常につらいものである。本発明はマスク外周の人の顔とマスクとの隙間を少なくし、有害物質のマスク内への侵入を軽減させると同時に鼻や目の下の炎症を軽減させるマスクを提供する。【解決手段】鼻や頬の複雑な形状により、人の顔とマスクの間に隙間が発生しやすいマスク上部に冷却ジェルシートを装着し、人の顔とマスクを密着させその部分に発生していた隙間を軽減し、同時にそのジェルシートを鼻の周りや目の下を覆うように配置する。【選択図】図１
2016223049.tif 000002
【特許請求の範囲】
【請求項１】
マスク本体（１）の内側上部に人の輪郭とマスクを密着すると同時に鼻周辺が冷却しやすいように冷却ジェルシート（２）を貼り付けたマスク。
【発明の詳細な説明】
【技術分野】
【０００１】  本発明は  マスク装着時の花粉、アレルギー物質、粉塵をマスクへの侵入をより防ぐ事と同時に  くしゃみ等で炎症した鼻や目の下部の温度を下げ  炎症を緩和するマスクに関しての物である。
【背景技術】
【０００２】  従来マスクは  外部からの花粉やアレルギー物質を鼻や口から体内への侵入を防ぐために装着するものであり  その効果をより有効にするためマスク外周の一部に  鉄線を入れたり  折り返しを装着したりし  より効果を高めたものが知られている。
【発明が解決しようとする課題】
【０００３】  （イ）従来のマスクは  次のような欠点があった。
人間の顔は  人それぞれ形状、凹凸に違いがあり特にマスク上部が接する部分は鼻や頬の凹凸が大きくせっかくマスク本体のフィルター機能が万全でもその隙間にからの有害物質のマスク内への侵入は防ぐことは困難であった。
（ロ）アレルギーの症状が発生した場合や感冒の際に発生するくしゃみ、鼻水、目の腫れはマスク内部をより不快な状態にし、目や鼻の炎症を増長させる。
本発明は  以上の課題を同時に解決するものである。
【課題を解決するための手段】
【０００４】  鼻や頬の複雑な形状により、人の顔とマスクの間に隙間が発生しやすいマスク上部に冷却ジェルシートを装着し、人の顔とマスクを密着させその部分に発生していた隙間を軽減し、同時にそのシートが鼻の周りや目の下を覆うように配置する
【発明の効果】
【０００５】  本発明を使用することによって、マスク上部の顔とマスクの隙間を冷却ジェルの密着により軽減させ有害物質のマスク内への侵入を軽減し  マスク本来のフィルター機能をより有効に発生させ、同時に鼻や目の下の部分冷却ジェルにより冷却されることにより  くしゃみ、鼻水などにより起こる炎症の症状をやわらげるまたは  発生抑えることが出来る。
【図面の簡単な説明】
【０００６】
【図１】本発明マスクの斜視図
【図２】本発明マスク装着時の斜視図
【図３】本発明マスク装着時の天視図
【発明を実施するための形態】
【０００７】  以下、本発明実施の形態を説明する
マスク本体（１）に冷却ジェル（２）をマスク本体（１）の上部へ帯状に貼り付けその中央部分は装着時鼻を囲むように幅を広げる。また冷却ジェル（２）のデザインを左右対称にしてマスクを外し一時保管する際に中心部分から折りたたんだ際に冷却ジェル同士が重なり合いおたがいの乾燥を防ぐ
【符号の説明】
【０００８】  １  マスク本体
２  冷却ジェル
３  人の顔
【図１】
2016223049.tif 000003
【図２】
2016223049.tif 000004
【図３】
2016223049.tif 000005
(57)【要約】      （修正有）【課題】交差点で左右方向の道路状況が容易に確認可能にする。【解決手段】フロントバンパに設けたミラーポールに取り付けたミラー１により、左右の道路の状態を確認する。【選択図】図１
2016193708.tif 000002
【特許請求の範囲】
【請求項１】
体験上相手道路の流れが分からないと非常に出入りが大変である。左右の流れが当ミラーの設置で大変分かりやすくなる。
【発明の詳細な説明】
【技術分野】
【０００１】この発明は車の部品に関するものである。
【背景技術】
【０００２】従来の物は後方に関する物が主体であった。
【先行技術文献】
【特許文献】
【０００３】
【特許文献１】
【発明の概要】
【発明が解決しようとする課題】
【０００４】従来の物は次のような欠点があった。特に左右に関する発見が出来なかった。
【課題を解決するための手段】
【０００５】本発明は、特に小道から一般道路に出る場合の左右の状態がよく見えなかった。逆の場合も同様である。
【発明の効果】
【０００６】特に出ようとする角に建造物がある場合非常に危険である。
【図面の簡単な説明】
【０００７】
【図１】本発明の平面図である。
【図２】本発明の側面図である。
【発明を実施するための形態】
【０００８】以下、本発明を実施するための形態について説明する。ポール付きミラーを前方下部にあるバンパーに取り付ける。
【符号の説明】
【０００９】▲１▼    ９０°変角ミラー▲１▼’  取付ポール▲２▼    車体▲３▼    ハンドル▲４▼    バンパー
【図１】
2016193708.tif 000003
【図２】
2016193708.tif 000004
(57)【要約】      （修正有）【課題】ドライバ−や同乗者の安全のために、着用が義務となっているシ−トベルトを、楽に着用ができるようにした、シ−トベルト着用支援装置を提供する。【解決手段】既設シ−トベルトの横に支援棒１を設け、此の下にギアを設け、モ−タ−でギアを回し、支援棒１を前へ傾け倒しシ−トベルト４を押し出し、ドライバーが取りやすい位置までシ−トベルト４を引き伸ばし、シ−トベルト４の、着用がしやすく便利になる。【選択図】図１
2016193707.tif 000002
【特許請求の範囲】
【請求項１】
自動車のシ−トベルトの横に支援棒を設け、此の支援棒でシ−トベルトを前方向へ傾け、押し出し、シ−トベルトを運転手が、簡単に取りやすく、すぐ着用ができるようにした、シ−トベルト着用支援装置。
【発明の詳細な説明】
【技術分野】
【０００１】本発明は、自動車のシ−トベルトが、すぐ簡単に取れ、着用がしやすくできるようにしたものである。
【背景技術】
【０００２】従来は、シ−トベルト着用支援装置などはなかった、このために自動車に乗る度にシ−トベルトを着用する際は少少面倒なものであった。
【発明の開示】
【発明が解決しようとする課題】
【０００３】自動車のシ−トベルトは座席の横後方に設置されている、この場所が安全面や色々な面で適した場所であると思う、しかしこの場所であるために、こんどはシ−トベルトを着用する際にシ−トベルトが、つかみ取りにくいという不便があった、此れはシ−トベルトを着用する際には、シ−トベルト側へ、体を捻り、シ−トベルトをつかみ取り、引っ張り出し着用するというものであった、此れは少々億劫なものであった、またこれは、運転手が小柄な人になると、どうしても座席シ−トを前方向に移動させるため、此の分、設置されているシ−トベルトとの間に距離ができる、此のために、さらに取りにくいという不便さがあった。
【課題を解決するための手段】
【０００４】自動車のシ−トベルト４は、ベルト収納部８、ベルト吊り部９、ベルト着用金具１０、ベルト固定部１１、といった構成で大半は設置されている、此のシ−トベルト４の横に、支援棒１を設け、此れをモ−タ−３で、図１に示すように、支援棒を前方向に傾け倒し、シ−トベルト４を前へ押し出し，ドライバ−が簡単に取れ、着用することができるようにしたもの。
【発明の効果】
【０００５】ドライバ−の安全を守るシ−トベルトの着用をしやすくし、シ−トベルト着用を助け、さらにシ−トベルトの着用を推進させるものである。
【実施例】
【０００６】既設シ−トベルト４の横側部に支援棒１を設け、此の支援棒１の下にギア２を設け、モ−タ−３で、ギア２を回し、支援棒１を前方向に傾け倒すようにし、シ−トベルト４を押し出し、ドライバ−が取りやすい位置までシ−トベルト４を引き伸ばし、シ−トベルト４の着用がすぐ簡単に出来るようにした、【０００７】此れは、ドライバ−がシ−トベルト４装着を外した時にシ−トベルト４は、シ−トベルト収納部８に引き込まれシ−トベルト４は、常に図２に示すように、同じ元の位置に止まるようになっている、本発明は、此のシ−トベルト４が止まる位置の側部に、図１に示すように、ギア２、モ−タ−３を設けた支援棒１を設置し、働かすようにしたものである、此れは運転手がエンジンスイッチを入れると、支援棒１が前へ傾き動き始め、支援棒１の上部先端の、ベルト嵌まり口部５に、シ−トベルト４は嵌まり、支援棒１は、さらに前へ傾きシ−トベルト４をベルト収納部８から適当な位置まで引き出される、そして運転手がシ−トベルト４をつかみ取り、ベルト嵌まり口部５からシ−トベルト４が離れると支援棒１は、図２に示すように、元の位置に戻るようにしたものである。【０００８】また本発明は、シ−トベルト４を、装着しやすい位置まで引き伸ばすものであるから、したがって図６、図８のように、ベルト固定部１１近傍のシ−トベルト４を、弾力カバ−６で巻き支え、シ−トベルト４の一部を弾力化し、此の下にギア２、モ−タ−３を設け、上記のようにモ−タ−３を働かせ、弾力カバ−６を前へ傾かせシ−トベルト４を引き伸ばし、簡単につかみ取ることができる、そして運転手がシ−トベルト４を、つかみ取り着用すると、弾力カバ−６の一部も、図３に示すように、ドライバ−の体の方に、曲がり付くような弾力性のあるカバ−６を使用し、またシ−トベルト４着用を外すと、弾力カバ−６は、シ−トベルト４の戻る力に引っ張られ、図５、７のように、元の位置に戻るようになって、いる、このようにベルト固定部１１近傍を弾力化しシ−トベルト４を、図４に示すように運転手の取りやすい位置まで傾け、シ−トベルト４を引き伸ばし便利に着用することができる。【０００９】この発明は、上記説明のような構造であるため、既設のシ−トベルト４の安全面への支障、また、妨げと言った問題が全くなく従来同様に安全に使用できるものである、本発明は、運転手が自動車に乗りエンジンスッチを入れると、自動でシ−トベルト４が運転手側及び助手席側にも出てくるようになるので双方がシ−トベルト着用が楽になり、便利なもので安全面にも貢献できるものである。
【図面の簡単な説明】
【００１０】
【図１】本発明の取り付け使用状況を示す図である。
【図２】本発明の設置状況を表す図である。
【図３】シ−トベルト装着使用状況を表す図である。
【図４】発明の弾力カバ−作動状況表す図である。
【図５】一部巻き支え部を示す一部、図である。
【図６】一部巻き支え部の作動状況を示す図である。
【図７】弾力カバ−と作動前を示す図である。
【図８】弾力カバ−の作動状況を示す一部図である。
【符号の説明】
【００１１】１支援棒
２ギア
３モ−タ−
４シ−トベルト
５ベルト嵌まり口
６弾力カバ−
７ベルト巻き支え部
８ベルト収納部
９ベルト吊り部
１０ベルト着用金具
１１ベルト固定部
１２座席シ−ト
１３自動車本体
１４シ−トベルト支援装置
【図１】
2016193707.tif 000003
【図２】
2016193707.tif 000004
【図３】
2016193707.tif 000005
【図４】
2016193707.tif 000006
【図５】
2016193707.tif 000007
【図６】
2016193707.tif 000008
【図７】
2016193707.tif 000009
【図８】
2016193707.tif 000010
(57)【要約】【課題】本発明は人間が立ち入ることのできない環境下で、環境測定のセンサーや作業要素を搭載するスペースを確保することができる回転移動体を得ることにある。【解決手段】環状に配置される複数の接地部２と、接地部２をそれぞれ半径方向に移動させるサーボモータ３とアーム４とで回転移動体１を構成し、連結部６で複数の回転移動体１を連結する。連結部６には制御部１１とバッテリー１２のほか各種の作業要素や測定機器等を搭載する。接地部２を順に動作させることで回転移動を行う。【選択図】  図１
2016193694.tif 000002
【特許請求の範囲】
【請求項１】
環状に配置される複数の接地部と、前記接地部をそれぞれ半径方向に移動させる移動手段を備える回転移動体。
【請求項２】
前記接地部は、弧状の接地部を備える、請求項１に記載の回転移動体。
【請求項３】
前記移動体は、サーボモータと前記サーボモータの駆動力を前記接地部に伝達するリンク機構を備える、請求項１又は２に記載の回転移動体。
【請求項４】
請求項１〜３のいずれかに記載の回転移動体が回転軸と同軸上に複数配置される回転移動体。
【請求項５】
請求項１〜３のいずれかに記載の回転移動体ごとに前記複数の接地部の配置パターンが異なる、請求項４に記載の回転移動体。
【請求項６】
前記複数の接地部のうち、実際に接地している接地部を移動させる制御を行う制御部を備える、請求項１〜５のいずれかに記載の回転移動体。
【請求項７】
前記制御部は、回転移動体の角速度に応じて制御のタイミングを変更する、請求項６に記載の回転移動体。
【発明の詳細な説明】
【技術分野】
【０００１】
本発明は、環状に配置された複数の接地部の半径方向における往復運動を回転運動に変換して移動する回転移動体に関する。
【背景技術】
【０００２】
多くのロボットに用いられるタイヤによる移動は、回転軸を有し、ひもの巻き込みや空転などで移動困難になることがある。それを解決する従来の回転移動体は球体と球体の内部に搭載された２つのサーボモータとアームに支えられた重りで構成されている（特許文献１参照）。
【０００３】
しかしながら、従来の回転移動体は内部にアクチュエーターや制御部などの要素が密集しており、作業要素を内部に組み込むことが困難という欠点があった。
【先行技術文献】
【特許文献】
【０００４】
【特許文献１】特開２０１１−１５２９１０号公報
【発明の概要】
【発明が解決しようとする課題】
【０００５】
本発明は、以上のような従来の欠点に鑑み、内部に作業要素を搭載可能なスペースを確保できる回転移動体を提供することを目的としている。
【課題を解決するための手段】
【０００６】
上記目的を達成するために、本発明は、環状に配置される複数の接地部と、前記接地部をそれぞれ半径方向に移動させる移動手段とで回転移動体を構成している。
【発明の効果】
【０００７】
本発明にあっては、環状に配置される複数の接地部と、前記接地部をそれぞれ半径方向に移動させる移動手段とで構成されており、内部を駆動しないことから、作業要素を搭載するスペースを確保する回転移動体が実現できる。
【図面の簡単な説明】
【０００８】
【図１】本発明の全体図である。
【図２】本発明のリンク部分の拡大図である。
【図３】本発明の動作原理図である。
【図４】右旋回時の左右側面図である。
【発明を実施するための形態】
【０００９】
以下、本発明の実施形態を図に基づいて説明する。
【００１０】
図１は本発明の回転移動体の実施形態を示す全体図である。回転移動体１は、アーム４によって繋がれたサーボモータ３と脚（接地部）２のリンク部分が車輪基礎５に取り付けられている。回転移動体１を連結部６によって同軸上に２つ連結している。連結部６には制御部１１とバッテリー１２が搭載される。連結部６には他にも各種の作業要素や測定機器等を搭載することができる。２つの回転移動体１は３０度の位相がずらして配置されている。
【００１１】
図２は回転移動体のリンク部分を拡大して示した図である。車輪基礎５に取り付けられたサーボモータ３は、サーボモータ出力軸７に固定されたアーム４を介して回転対偶軸８で連結された脚（接地部）２を往復運動させる。脚（接地部）２は滑り対偶軸９によって車輪基礎５に掘られた溝１０と連結されており、溝１０は脚（接地部）２の往復運動のガイドとなる。
【００１２】
図３は回転移動体の動作の原理を示す図である。地面に接触したひとつの脚（接地部）２を外側に伸ばす動作を行うと脚（接地部）２は地面を押し、押した方向ｆ１と反対方向ｆ２に回転移動体１が回転移動する。前記動作を連続して行うことで、連続した回転移動を行う。この制御は、隣り合う脚（接地部）２を動作させることが基本だが回転速度が大きくなると１つ飛ばし、２つ飛ばし、といくつか間隔をあけても移動が可能である。
【００１３】
図４は回転移動体を２つ連結した場合の旋回時の形状を示す図である。回転移動体１を複数連結した場合、旋回動作を行うことができる。前進しながら旋回する場合、図４に示すように一方の回転移動体１の脚（接地部）２を全て可動範囲の半分ほど外側に伸ばし、一方の回転移動体１の直径を大きくする。これによって半径ｒの差が生じる。この状態で前記回転移動を行うと、一方の直径とともに円周も長くなり、他方と比較して一方の回転移動体１が多く進むことにより直径を大きくした回転移動体１と反対方向に旋回する。連結を３つ以上とした場合には、端の回転移動体１の直径を変化させることで旋回動作を行う。
【００１４】
本実施形態は脚（接地部）２を往復運動させる手段にサーボモータ３とアーム４を用いているが同様の動作が取り出せればその限りではない。例えば、サーボモータとラックピニオンを用いて直線運動を取り出す方法、油圧や空気圧を利用したピストンを用いて直線運動を取り出す方法などが挙げられる。
【符号の説明】
【００１５】
１  回転移動体
２  脚（接地部）
３  サーボモータ
４  アーム
５  車輪基礎
６  連結部
７  サーボモータ出力軸
８  回転対偶軸
９  滑り対偶軸
１０  溝
１１  制御部
１２  バッテリー
【図１】
2016193694.tif 000003
【図２】
2016193694.tif 000004
【図３】
2016193694.tif 000005
【図４】
2016193694.tif 000006
(57)【要約】【課題】コピー用紙をルーズリーフの様に綴じる【解決手段】二穴以上の専用ポンチで、ポンチと用紙の両側に、ルーズリーフで綴じるのに適切な穴が開けれる目印を付け、目印を合わせて穴をポンチで開け、専用ルーズリーフノート又は、ルーズリーフ式手帳で綴じる。【選択図】図１
2016168822.tif 000002
【特許請求の範囲】
【請求項１】
専用ルーズリーフ用紙に適切に穴を開ける為の目印の付いた、ふたつ以上の穴を開ける、用紙ポンチと、中央付近に、規格に沿った、穴を開ける為にセットする目印のある、ポンチ式ルーズリーフ用紙と、それを閉じるルーズリーフで出来た専用ルーズリーフシステムとポンチ及び用紙
【請求項２】
請求項１を利用した、ルーズリーフ式手動穴あけ手帳及び、そのポンチ及び用紙
【発明の詳細な説明】
【技術分野】
【０００１】本発明は、コピー用紙をルーズリーフ式に閉じるノート及び手帳に関する。
【背景技術】
【０００２】用紙を自在に綴じられるルーズリーフはあった。また、用紙ポンチには、穴を開ける目安と成る印が付いている。しかし、個人がコピー用紙に穴を開けて、紐や、バインダーで綴じる技術はあったが、ルーズリーフに閉じる技術は、なかった。
【先行技術文献】
【特許文献】
【０００３】ルーズリーフとコピー用紙で検索したが０件だった。
【発明の概要】
【発明が解決しようとする課題】
【０００４】コピー用紙で印刷した書類をルーズリーフ式に綴じれる様にする。
【発明を解決する手段】
【０００５】コピー用紙に、専用の用紙ポンチで穴を正確に開ける為の目印を印刷し、二穴以上の専用ポンチにも、用紙を目印に合わせてセットする為の目印を付け、目印を合わせて、専用ポンチで開けた穴に用紙をセットして、綴じる、ルーズリーフをそれぞれ作り、システム販売を行う。
【発明の効果】
【０００６】穴のあいた用紙を印刷すると、紙が一枚ずつ取れなかったり、目詰まりしたりし易いが、印刷した後から、専用ポンチで穴を開ける為、その様な問題がなくなる他、用紙に、目印が付いていて、ポンチの目印と合わせてセットし、穴を開ける事で、ひも等で綴じるより、用紙が痛まず、また、見やすい。穴を小さくし手帳にも応用できる。
【発明を実施する為の形態】
【０００７】ポンチ穴は、ルーズリーフを開いた時に、両側が重ならない位置に開ける様に設計し、ポンチ中央に目印を取り付け、用紙には、縦上下、横左右に、目印線を印刷する。ルーズリーフは、基本的に２穴式だが、Ａ４サイズの様に、大きな物は、縦に２つ目印を入れて、４つ穴式にしても良い。また、手帳に応用する時は、複数の小さい穴を開けられる様にしても良い。
【図面の簡単な説明】
【０００８】
【図１】ポンチと用紙のセットの図
【図２】二穴式ルーズリーフノート
【符号の説明】（１）    ポンチ取手
（２）    ポンチ側セット目印
（３）    コピー用紙
（４）    用紙側セット目印
（５）    綴じたコピー用紙
（６）    ルーズリーフノート
（７）    綴じ金具
【図１】
2016168822.tif 000003
【図２】
2016168822.tif 000004
(57)【要約】【課題】  名刺を名刺入れから一枚づつ簡単に取り出せるようにする。【解決手段】名刺の収納部に入れたスライド板でこれに載った名刺を一枚づつ開口部から取り出せるようにする。【選択図】図１
2016168823.tif 000002
【特許請求の範囲】
【請求項１】
名刺を入れる収納部に引き出し板（６）を入れ、スライドさせて収納部の一端に設けた開口部（３）から一枚づつ取り出せるようにした名刺入れ。
【発明の詳細な説明】
【技術分野】
【０００１】この発明は名刺入れに関するものである。
【背景技術】
【０００２】名刺を１枚づつ取り出す名刺入れの案は公報にあるが確かに取り出せるものは見当たらない。
【先行技術文献】
【特許文献】
【０００３】
【発明の概要】
【発明が解決しようとする課題】
【０００４】名刺入れから一枚だけを確かに取り出す。
【課題を解決するための手段】
【０００５】名刺を入れる収納部に一枚だけ出す開口部（３）を設け、一枚だけが載った引き出し板（６）をス＋【０００６】名刺入れから一枚だけを取り出せる。
【図面の簡単な説明】
【０００７】
【図１】本発明の収納部の概略斜視図である。
【図２】本発明の引き出し板の概略斜視図である。
【図３】スライド板の正面図である。
【図４】スライド板の平面図である。
【図５】底板（１）に引き出し板（６）を載せた状態の一部断面拡大斜視図
【発明を実施するための形態】
【０００８】本案は名刺を一枚づつ取り出せるようにした名刺入れである。名刺を入れる収納部の一端に名刺が一枚出る開口部（３）を設け、他端の後部（４）を厚くし、底板（１）の中ほどに長穴のスライド溝（５）を設け、収納部に開閉するように蓋（２）を設ける。引き出し板（６）は名刺だけが掴めるように短くし、一端には名刺一枚だけを載せるように一枚の厚みの当て部（７）を設ける。後部（４）は下の方を薄くし隅に隙間を設け、当て部（７）が入るようにする。スライド板（８）の上部にスライド溝（５）に入れるための突部を設け、下部には指の滑り止めを設ける。底板（１）の上に引き出し板（６）を載せ、底板（１）の裏からスライド板（８）の突部をこの引き出し板（６）に着ける。名刺を入れて使用する時は引き出し板（６）を後部（４）までスライドさせ、そして開口部（３）へスライドさせると一枚だけが出てくる。
【符号の説明】
【０００９】１底板    ２蓋    ３開口部    ４後部    ５スライド溝
６引き出し板    ７当て部    ８スライド板
【図１】
2016168823.tif 000003
【図２】
2016168823.tif 000004
【図３】
2016168823.tif 000005
【図４】
2016168823.tif 000006
【図５】
2016168823.tif 000007